(57)【要約】【課題】  液晶表示パネル表面に帯電した電荷を、カメラ本体のグランドレベルに確実に接続しつつ、液晶表示部に部分的に応力が集中してしまい静圧による液晶ガラスの破損や表示不良を起さないカメラの液晶表示部を提供すること。【解決手段】  液晶表示部の偏光板を導電性部材で画面表示範囲より外周まで形成し、該偏光板に対し、カメラ本体とグランド接続された該画像表示範囲外を覆う金属板をカメラの外観部品の裏側に配置された弾性部材で圧接させた。【選択図】  図１
2009156909.tif 000002
【特許請求の範囲】
【請求項１】
液晶表示部（６）の偏光板（６ａ）を導電性部材で画面表示範囲より外周まで形成し、該偏光板（６ａ）に対し、カメラ本体とグランド接続された該画像表示範囲外を覆う導電部材（５）をカメラの外観部品（１または４）または構造部品の間に配置された弾性部材（9）で圧接させた液晶表示装置を有することを特徴とするカメラ。
【請求項２】
請求項１に記載のカメラにおいて、
金属板（５）および弾性部材（9）は、前記液晶表示部（6）の周囲を全周覆っていることを特徴とするカメラ。
【請求項３】
請求項１に記載のカメラにおいて、液晶表示部（６）は高階調のノーマリブラックの液晶を用いた液晶表示部であることを特徴とするカメラ。
【発明の詳細な説明】
【技術分野】
【０００１】
本発明は、カメラと、カメラの液晶表示パネルとカメラ本体の金属部とを電気的に接続して電気的シールドを確実に取る技術に関するものである。
【背景技術】
【０００２】
近年の液晶表示モジュールは、ダイナミックレンジ拡大のために、無通電時に表示が黒い状態のものが使用されることが多くなってきた。このような所謂ノーマリブラック液晶表示パネルでは、パネル表面に電荷（静電気）が帯電した場合、液晶分子が動いてしまい、全白の斑が出てしまうなどの表示不良が発生するものがあった。帯電した電荷を、カメラ本体のグランドレベルに逃がすルートを確保しないと、表示不良が長時間戻らないというものがあった。帯電した電荷を逃がすルートとしては、カメラの中央処理装置であるＣＰＵの搭載された基板のグランドパターンを突出せしめ、ビス等で圧接固定された金属製のシャーシに対して、液晶液晶の表示部とビス等で接触させることが望ましい。然しながら、液晶表示部と金属製のシャーシとをビスで固着させるためには、偏光板に穴を開けることになり、ビス締めの際、割れてしまうという課題があり現実的ではない。
【０００３】
従来、この種の電荷を逃がす技術としては、特許文献１記載の技術のように金属フレームの一部から舌片を突出せしめ、液晶表示部の外周部または基板部と当接させ、カメラ本体のグランドレベルと電気的に接触させる技術が開示されている。
【０００４】
また、前記舌片の代わりに導電性を有するテープを、液晶表示部と金属フレームとの間に挟みこんで、カメラ本体のグランドレベルと電気的に接触させる技術が開示されている。
【０００５】
更に、金属フレームとは別体の金属板バネを、該金属フレームと液晶表示部との間に挟み込んで電気的導通を取るものが知られている。
【特許文献１】特開2003-185995号公報
【発明の開示】
【発明が解決しようとする課題】
【０００６】
しかしながら上記従来例では、特許文献１記載の技術の場合、カメラの外観から強い圧力をかけられたとき、例えば、カメラを鞄にしまった状態で満員電車に乗ったときや、尻のポケットにカメラをしまったまま椅子に腰掛けてしまったときに、表示窓やカバーの部品の変形により金属フレームがたわみ、グランド接続のため常に液晶ガラス面に接触している前記舌片部付近が最も大きく変形し、前記舌片部の液晶ガラスに対する点当たりや線当たりによりガラス面に応力が集中してしまい、液晶表示部のガラスを破損しやすいことがあった。
【０００７】
また、前記舌片の代わりに導電性を有するテープを、液晶表示部周囲の偏光板と金属フレームとの間に挟みこんで、カメラ本体のグランドレベルと電気的に接触させる技術では、テープを狭い面積の所に貼ろうとすると、団子状に貼られてしまったりめくれたりするため、確実な電気的導通をとることができなくなることがある。また、テープの接着剤自体も熱や紫外線の影響により粘着力が落ちる可能性があり信頼性に欠ける。更に、カメラ完成状態で液晶表示部周囲を斜めから覗き込むと、前記テープの端面が見えてしまい、デザイン上の見栄えが良くなくなることがあった。また、微小なテープを挟み込むことにより液晶表示面に局地的なたわみを発生させるため、表示部に色にじみや変色を発生させてしまう恐れがある。
【０００８】
更に、別体の金属板バネを挟み込む方式では、部品点数が増え、組み立てが煩雑になりコストが増えることがあった。
【０００９】
本発明は、液晶表示パネル表面に帯電した電荷を、カメラ本体のグランドレベルに確実に接続しつつ、カメラの外観から強い圧力をかけられたとき、例えば、カメラを鞄にしまった状態で満員電車に乗ったときや、尻のポケットにカメラをしまったまま椅子に腰掛けてしまったときに、液晶ガラスの破損や表示不良を起さないカメラの液晶表示部を提供することを目的としている。
【課題を解決するための手段】
【００１０】
液晶表示部の偏光板を導電性部材で画面表示範囲より外周まで形成し、該偏光板に対し、カメラ本体とグランド接続された該画像表示範囲外を覆う金属板をカメラの外観部品の裏側に配置された弾性部材で圧接させたことを特徴とする。
【発明の効果】
【００１１】
本発明は、カメラ本体に圧力が加わっても、液晶表示部を破損することなく、かつ見栄えのよいデザインのまま、液晶表示部とカメラ本体のグランドレベルと接触している金属フレームとを電気的に確実に接触させることができることができる。
【発明を実施するための最良の形態】
【００１２】
次に、本発明の詳細を実施例の記述に従って説明する。
【実施例１】
【００１３】
図１は、本発明の特徴を最もよく表す液晶表示部周りの横断面図であり、図２は、図１で表された液晶表示部周りの分解斜視図である。図３は本発明を実施したカメラの外観斜視図である。図１から図３において同一番号を付記したものは、同一部材を表す。
【００１４】
両図において、１はカメラ背面の外観部を構成するリアカバーである。２は前記リアカバー１と色を変えるため別部材とされている化粧板である。３は両面テープであり、前記リアカバー１と化粧板２とを貼り付けている。４はカメラ内部にゴミが入るのを防止し、また、後述の液晶表示部に対する外部の圧力による破壊を防止するための保護窓であり、例えばアクリル等の透明な部材で形成されている。保護窓４と前記リアカバー１とは両面テープ４ａでカメラ裏面より貼り付けられている。9はスポンジ状の枠体である弾性部材である。該弾性部材は両面テープ９ａで保護窓４に貼り付けられている。前記リアカバー１、化粧板２、両面テープ３、保護窓４及び弾性部材９とでリアカバーユニットを構成している。ロの字形の弾性部材９を加えてリアカバーユニットを構成することで、液晶表示範囲と保護窓４の内側とも半密閉状態にでき、液晶表示部への異物の進入を少なくしている。６は、種々の情報を表示する公知のノーマリブラックの液晶表示パネルである。ノーマリブラック液晶は、電圧をかけない状態で非透過となるもので、電圧を加えて液晶を並べ偏光させて非透過にするものより、非透過が造りやすく、また。非透過付近での偏光を制御するのが容易なため、階調も得やすくなっている。しかし、このため静電気が加わっただけで少し白くなる等、扱い難い特徴を有している。そこで、液晶表面の偏光板に導電性の加工を行い、静電気が帯電しないよう構成する必要がある。該液晶表示部には、偏光板６ａが一体に形成されている。該液晶表示パネルには裏面側からＬＥＤを照射し表示を見えるように構成された、公知のバックライトユニットが配置されている。５は前記液晶表示パネル６の表示面より外側に枠部を有する表示枠である上ベゼルである。７は、前記液晶表示装置のバックライトユニットを保持し、かつ前記液晶の保持も兼ねる樹脂フレームである。８は前記液晶表示パネル６と樹脂フレームおよびバックライトユニットとを包括する下ベゼルである。上ベゼル５と下ベゼル８とは上ベゼルの爪部５ａおよび下ベゼルの爪部８ａのお互いの爪部ではまり合う。前記上ベゼル５、液晶表示パネル６、樹脂フレーム７と下ベゼル８とで液晶ユニットを構成し、該液晶ユニットはカメラの骨格を形成するメインシャーシ10に位置決めされ、舌部５ｂでビスで固着されている。これによって、導通が取れるが、より確実にグランドに落とす為、スポンジ状の枠体である弾性部材９で導通を取る。前記弾性部材９は、前記リアカバーユニットをカメラ本体に組み付けると、弾性部材９は圧縮されるため、その反発力によりメインシャーシ10の方向へ上ベゼル５と液晶表示パネル６の偏光板６ａが押し付けられるため、電気的に確実に接触するようになる。
【００１５】
本実施例では、外観側から表示窓４（リアカバー１）、弾性部材９、上ベゼル５、偏光板６ａ、下ベゼル８、メインシャーシ10の順に並べてあるが、リアカバー側に偏光板を押し付けるため、リアカバー１、上ベゼル５、偏光板６ａ、下ベゼル８、弾性部材９、メインシャーシ10の順に配置しても、本発明の実施態様に変更はない。
【００１６】
上記構成とすることにより、一枚の金属板から形成された平面精度の高い上ベゼル５と、偏光板６ａとを弾性部材９により表示部の周囲を覆って均等に圧接しているため、電気的に確実に接続されつつ、高階調の表示を得られると共に、外観側から圧力が加わっても、その圧力が分散されガラスが割れる心配が少ない液晶表示部を備えたカメラを構成することが可能となる。更に、ノーマリブラック液晶を使用しても、カメラに採用できるようになった。
【００１７】
また、前記弾性部材９を液晶表示部全周を加工“ロ”の字型にすることにより、部分的に弾性部材９を貼るより、上ベゼル５が多少変形していても、確実な導通を図ることができる。しかも、カメラの外装部品に異物を押し当てられた場合等の、外部からの部分的な制圧を受けても、弾性部材９の全域で圧力を吸収、分散できるためその下のガラスが割れてしまうのを防ぐことができる。
【００１８】
更に、ノーマリブラックの液晶を使用していても、柔らかい弾性部材９を使用して液晶周囲を押圧ることから、非導通状態でも白斑が生じ難いという利点がある。
【図面の簡単な説明】
【００１９】
【図１】本発明の特徴を最もよく表す液晶表示部周りの横断面図
【図２】図１で表された液晶表示部周りの分解斜視図
【図３】本発明を実施したカメラの外観斜視図
【符号の説明】
【００２０】
１  リアカバー
２  化粧板
３  両面テープ
４  保護窓
５  表示枠（上ベゼル）
６  液晶表示パネル
７  樹脂フレーム
８  下ベゼル
９  弾性部材
10  メインシャーシ
【図１】
2009156909.tif 000003
【図２】
2009156909.tif 000004
【図３】
2009156909.tif 000005